(57)【要約】【課題】ＲＦＩＤタグが被着体の面から離間している姿勢を保持でき，かつ，ＲＦＩＤタグの向きを変更して被着体の面に貼り付けることができるＲＦＩＤタグ保持体を提供する。【解決手段】本実施形態に係るＲＦＩＤタグ保持体１は，ＲＦＩＤタグ１００を付設したタグパネル１０と，タグパネル１０と垂設し，外側に粘着層１１０を形成した第１保持パネル１１と，タグパネル１０および第１保持パネル１１と垂設し，外側に粘着層１２０を形成した第２保持パネル１２を備えている。【選択図】図１
2018128775.tif 000002
【特許請求の範囲】
【請求項１】
ＲＦＩＤタグを付設したタグパネルと，前記タグパネルと垂設している第１保持パネルと，前記タグパネルおよび前記第１保持パネルと垂設している第２保持パネルを備え，前記第１保持パネルおよび前記第２保持パネルの外側に粘着層を形成したことを特徴とするＲＦＩＤタグ保持体。
【請求項２】
前記タグパネル，前記第１保持パネルおよび前記第２保持パネルに加え，前記第１保持パネルと前記第２保持パネルの接着に用いる糊付けパネルを備えた一枚のシートを組み立てることで構成されていることを特徴とする，請求項１に記載したＲＦＩＤタグ保持体。
【請求項３】
請求項２に記載したＲＦＩＤタグ保持体の組み立てに用いるシートであって，前記タグパネル，前記第１保持パネルおよび前記第２保持パネルに加え，前記第１保持パネルと前記第２保持パネルの接着に用いる糊付けパネルを備え，前記第１保持パネル，前記第２保持パネルおよび前記糊付けパネルの裏面に粘着層を形成したことを特徴とするＲＦＩＤタグ保持体用シート。
【発明の詳細な説明】
【技術分野】
【０００１】
本発明は，ＲＦＩＤ（Radio Frequency Identification）タグを付設した保持体であるＲＦＩＤタグ保持体およびＲＦＩＤタグ保持体用シートを提供する発明である。
【背景技術】
【０００２】
所定の周波数帯の電波を利用して無線通信するＲＦＩＤタグは，様々な被着体に貼り付けられて利用される。金属製の被着体（例えば，金属製のキャビネット）にＲＦＩＤタグを貼り付けたい場合もあるが，金属製の被着体にＲＦＩＤタグを貼り付けると電波障害が発生し，ＲＦＩＤタグが無線通信できなくなるため，金属製の被着体にＲＦＩＤタグを取り付ける際には，ＲＦＩＤタグに対する金属面の影響を小さくする工夫が必要になる。
【０００３】
ＲＦＩＤタグに対する金属面の影響を小さくする発明として，ＲＦＩＤタグと金属面の間に磁性材料（例えば，アズキャストのアモルファスから成る磁性材料）を配置する発明が特許文献１で開示されているが，特許文献１で開示されている発明では，磁性材料が必要になるため，ＲＦＩＤタグのコストが高くなってしまう。
【０００４】
磁性材料をＲＦＩＤタグに備えさせることなく，ＲＦＩＤタグに対する金属面の影響を小さくする発明として，ＲＦＩＤタグを付設したタグ付設部を有する凸形状のＲＦＩＤラベルが特許文献２で開示されている。特許文献２の図６のように，ＲＦＩＤタグを付設したタグ付設部を折り曲げ，タグ付設部がラベル本体から突出した状態で特許文献２に係るＲＦＩＤラベルを金属面に貼り付けることで，タグ付設部に付設したＲＦＩＤタグと金属面が離間し，ＲＦＩＤタグに対する金属面の影響は小さくなる。
【先行技術文献】
【特許文献】
【０００５】
【特許文献１】特開２００４−３８７０２号公報
【特許文献２】特開２００７−３４８６８号公報
【発明の概要】
【発明が解決しようとする課題】
【０００６】
特許文献２で開示されている発明のように，ＲＦＩＤタグと金属面を離間させることで，磁性材料を必要とすることなく，ＲＦＩＤタグに対する金属面の影響を小さくできるが，特許文献２で開示されている発明では，ＲＦＩＤタグが金属面から離間する姿勢でタグ付設部を金属面に貼り付けても，金属面に貼り付けたタグ付設部の姿勢を保持できない場合があった。例えば，地面に対して垂直な金属面に特許文献２に係るＲＦＩＤラベルを貼り付ける場合，タグ付設部は地面に対して水平になるため，時間の経過に従い，重力の影響でタグ付設部が水平から斜めになってしまい電波障害が発生し易くなる。
【０００７】
このことを鑑みると，ＲＦＩＤタグが被着体の面から離間している姿勢を保持した状態で，被着体の面に貼り付けることのできる保持体が必要になる。加えて，ＲＦＩＤタグの形状は一般的に長方形であるため，ＲＦＩＤタグの向き（縦長，横長）を変更して被着体の面に貼り付けることが望ましい。ＲＦＩＤタグの向きを変更して被着体の面に貼り付けることができれば，無線通信が良好になる向きで，ＲＦＩＤタグを付設した保持体を被着体の面に貼り付けることができる。
【０００８】
そこで，本発明は，ＲＦＩＤタグを付設した保持体であって，ＲＦＩＤタグが被着体の面から離間している姿勢を保持でき，かつ，ＲＦＩＤタグの向きを変更して被着体の面に貼り付けることができるＲＦＩＤタグ保持体を提供することを目的とし，更に，このＲＦＩＤタグ保持体用のシートをも提供することを目的とする。
【課題を解決するための手段】
【０００９】
上述した課題を解決する第１の発明は，ＲＦＩＤタグを付設したタグパネルと，前記タグパネルと垂設している第１保持パネルと，前記タグパネルおよび前記第１保持パネルと垂設している第２保持パネルを備え，前記第１保持パネルおよび前記第２保持パネルの外側に粘着層を形成したことを特徴とするＲＦＩＤタグ保持体である。
なお，第１の発明に係るＲＦＩＤタグ保持体は，前記タグパネル，前記第１保持パネルおよび前記第２保持パネルに加え，前記第１保持パネルと前記第２保持パネルの接着に用いる糊付けパネルを備えた一枚のシートを組み立てることで構成されていることが望ましい。
【００１０】
更に，第２の発明は，第１の発明に係るＲＦＩＤタグ保持体の組み立てに用いるシートであって，前記タグパネル，前記第１保持パネルおよび前記第２保持パネルに加え，前記第１保持パネルと前記第２保持パネルの接着に用いる糊付けパネルを備え，前記第１保持パネル，前記第２保持パネルおよび前記糊付けパネルの裏面に粘着層を形成したことを特徴とするＲＦＩＤタグ保持体用シートである。
【発明の効果】
【００１１】
上述した本発明によれば，ＲＦＩＤタグが被着体の面から離間している姿勢を保持でき，かつ，ＲＦＩＤタグの向きを変更して被着体の面に貼り付けることができるＲＦＩＤタグ保持体を提供でき，更に，このＲＦＩＤタグ保持体用のシートをも提供できる。
【図面の簡単な説明】
【００１２】
【図１】本実施形態に係るＲＦＩＤタグ保持体を説明する図。
【図２】ＲＦＩＤタグ保持体の各パネルを説明する図。
【図３】ＲＦＩＤタグ保持体用シートを説明する図。
【図４】ＲＦＩＤタグ保持体用シートの組み立て方を説明する図。
【図５】ＲＦＩＤタグ保持体の使用例を説明する第図。
【図６】変形例１に係るＲＦＩＤタグ保持体を説明する図。
【図７】変形例２に係るＲＦＩＤタグ保持体を説明する図。
【発明を実施するための形態】
【００１３】
ここから，本発明の好適な実施形態を記載する。なお，以下の記載は本発明の技術的範囲を束縛するものでなく，理解を助けるために記述するものである。
【００１４】
図１は，本実施形態に係るＲＦＩＤタグ保持体１を説明する図である。本実施形態に係るＲＦＩＤタグ保持体１は，ＲＦＩＤタグ１００を付設したタグパネル１０と，タグパネル１０と垂設し，外側に粘着層１１０を形成した第１保持パネル１１と，タグパネル１０および第１保持パネル１１と垂設し，外側に粘着層１２０を形成した第２保持パネル１２を備えている。なお，タグパネル１０と第１保持パネル１１間の角度，タグパネル１０と第２保持パネル１２間の角度，および，第１保持パネル１１と第２保持パネル１２間の角度は，タグパネル１０に付設したＲＦＩＤタグ１００が被着体の面から離間する姿勢になれば，厳密に垂直（９０度）でなくてもよい。
【００１５】
図１で図示したＲＦＩＤタグ保持体１は，第１保持パネル１１，タグパネル１０および第２保持パネル１２に加え，第１保持パネル１１と第２保持パネル１２の接着に用いる糊付けパネル１３を備えた一枚のシートを組み立てることで構成されている。図１において，ＲＦＩＤタグ１００を付設したタグパネル１０は，折線１４ａを介して第１保持パネル１１と連設し，第１保持パネル１１に対して略垂直に折り曲げられることで，第１保持パネル１１に立設した状態になっている。また，タグパネル１０の片側に設けられた第２保持パネル１２は，折線１４ｂを介してタグパネル１０と連設し，折線１４ｂを利用してタグパネル１０に対して略垂直に折り曲げられた状態になっている。更に，タグパネル１０の片側に設けられた第２保持パネル１２は，第１保持パネル１１との接着に用いる三角形形状の糊付けパネル１３と折線１４ｃを介して連設している。糊付けパネル１３は，第２保持パネル１２に対して略垂直に折り曲げられた状態になっており，糊付けパネル１３の裏面に形成された粘着層１３０を利用して第１保持パネル１１と接着している。このような構成により，ＲＦＩＤタグ１００を付設したタグパネル１０の姿勢（第１保持パネル１１に立設した状態）は，第１保持パネル１１および第２保持パネル１２により保持される格好になっている。
【００１６】
図２は，ＲＦＩＤタグ保持体１の各パネルを説明する図である。図２（ａ）は，ＲＦＩＤタグ保持体１のタグパネル１０を方向Ａから見たときの図である。タグパネル１０には，ＲＦＩＤタグ１００が内側に付設されているが，第１保持パネル１１や第２保持パネル１２のように，ＲＦＩＤタグ保持体１を被着体に貼り付けるための層は設けられていない。図２（ｂ）は，ＲＦＩＤタグ保持体１の第１保持パネル１１を方向Ｂから見たときの図である。第１保持パネル１１の外側には，ＲＦＩＤタグ保持体１を被着体に貼り付けるための層として粘着層１１０が設けられている。粘着層１１０は剥離紙１１１によって保護され，粘着層１１０を使用してＲＦＩＤタグ保持体１を被着体に貼り付けるとき，粘着層１１０を保護している剥離紙１１１は剥がされることになる。図２（ｃ）は，ＲＦＩＤタグ保持体１の第２保持パネル１２を方向Ｃから見たときの図である。第２保持パネル１２の外側には，ＲＦＩＤタグ保持体１を被着体に貼り付けるための層として粘着層１２０が設けられている。粘着層１２０は剥離紙１２１によって保護され，粘着層１２０を使用してＲＦＩＤタグ保持体１を被着体に貼り付けるとき，粘着層１２０を保護している剥離紙１２１は剥がされることになる。
【００１７】
図３は，ＲＦＩＤタグ保持体１の組み立てに用いるＲＦＩＤタグ保持体用シート２を説明する図である。図２で図示したＲＦＩＤタグ保持体用シート２は，図１で図示したＲＦＩＤタグ保持体１の組み立てに用いるシートで，タグパネル１０，第１保持パネル１１および第２保持パネル１２に加え，第１保持パネル１１と第２保持パネル１２の接着に用いる糊付けパネル１３を備えている。
【００１８】
図３で図示したＲＦＩＤタグ保持体用シート２において，ＲＦＩＤタグ１００が付設されたタグパネル１０は折線１４ａを介して第１保持パネル１１と連設し，ＲＦＩＤタグ１００が付設されたタグパネル１０の片側には，第２保持パネル１２が折線１４ｂを介して連設している。更に，折線１４ｂを介してタグパネル１０に連結している第２保持パネル１２には，第１保持パネル１１との接着に用いる糊付けパネル１３が折線１４ｃを介して連設し，第１保持パネル１１と糊付けパネル１３の間にはカット線１４ｄが加工されている。第１保持パネル１１の裏面には粘着層１１０が，第２保持パネル１２の裏面には粘着層１２０が，そして，糊付けパネル１３の裏面には粘着層１３０がそれぞれ形成されている。粘着層１１０は剥離紙１１１によって，粘着層１２０は剥離紙１２１によって，そして，粘着層１３０は剥離紙１３１によってそれぞれ保護されている。また，第１保持パネル１１と糊付けパネル１３の間に加工されたカット線１４ｄにより，粘着層１１０と粘着層１３０，および，剥離紙１１１と剥離紙１３１は分離されている。なお，ＲＦＩＤタグ保持体用シート２は，紙やプラスチックなど非導電性を有する比較的薄いシートを利用できる。
【００１９】
図４は，ＲＦＩＤタグ保持体用シート２の組み立て方を説明する図である。ＲＦＩＤタグ保持体用シート２を組み立てる際，まず，図４（ａ）で図示したように，ＲＦＩＤタグ保持体用シート２に加工した折線１４ｂに沿って，折線１４ｂを介してタグパネル１０に連設している第２保持パネル１２を略垂直に折り曲げる。折線１４ｂに沿って第２保持パネル１２を略垂直に折り曲げることで，折線１４ｃを介して第２保持パネル１２に連設している糊付けパネル１３もタグパネル１０に対して略垂直の状態になる。次に，図４（ｂ）で図示したように，ＲＦＩＤタグ保持体用シート２に加工した折線１４ｃに沿って，折線１４ｃを介して第２保持パネル１２に連設している糊付けパネル１３を略垂直に折り曲げ，糊付けパネル１３の裏面にある剥離紙１３１を剥がして，糊付けパネル１３の裏面に形成された粘着層１３０を露出させる。次に，図４（ｃ）で図示したように，ＲＦＩＤタグ保持体用シート２に加工した折線１４ａに沿って，折線１４ａを介してタグパネル１０に連設している第１保持パネル１１を略垂直に折り曲げ，糊付けパネル１３の裏面に形成された粘着層１３０を利用して，糊付けパネル１３と第１保持パネル１１を接着させることで，図１で図示したＲＦＩＤタグ保持体１を組み立てることができる。
【００２０】
これまで説明したように，本実施形態に係るＲＦＩＤタグ保持体１は，第１保持パネル１１および第２保持パネル１２によりタグパネル１０の姿勢が保持された格好になっているので，強い力が加えられない限り，ＲＦＩＤタグ１００を付設したタグパネル１０の姿勢（第１保持パネル１１に立設した状態）は維持できる。また，第１保持パネル１１の外側に形成した粘着層１１０，または，第２保持パネル１２の外側に形成した粘着層１２０のいずれか一つを利用して，被着体の面に対して，タグパネル１０に付設したＲＦＩＤタグ１００が垂設するようにＲＦＩＤタグ保持体１を被着体に貼り付ければ，タグパネル１０に付設したＲＦＩＤタグ１００は被着体の面から離間するので，ＲＦＩＤタグ１００に対する被着体の影響を小さくできる。更に，本実施形態に係るＲＦＩＤタグ保持体１では，第１保持パネル１１の外側に粘着層１１０を形成し，第２保持パネル１２の外側に粘着層１２０を形成しているので，タグパネル１０の向きを変更してＲＦＩＤタグ保持体１を被着体に貼り付けることができる。
【００２１】
図５は，本実施形態に係るＲＦＩＤタグ保持体１の貼り付け方法を説明するである。図５（ａ）は，ＲＦＩＤタグ１００を付設したタグパネル１０の向きが縦長になるように，ＲＦＩＤタグ保持体１を被着体に貼り付けた時の図である。図５（ａ）で図示したように，第１保持パネル１１の外側に形成した粘着層１１０を使用して，ＲＦＩＤタグ保持体１を被着体に貼り付けることで，ＲＦＩＤタグ１００を付設したタグパネル１０の向きを縦長にした状態で，ＲＦＩＤタグ保持体１を被着体に貼り付けることができる。なお，第１保持パネル１１の外側に形成した粘着層１１０を使用して，ＲＦＩＤタグ保持体１を被着体に貼り付ける際，第２保持パネル１２の外側に形成した粘着層１２０を保護する剥離紙１２１は剥がされない。
【００２２】
図５（ｂ）は，ＲＦＩＤタグ１００を付設したタグパネル１０の向きが横長になるように，ＲＦＩＤタグ保持体１を被着体に貼り付けた時の図である。図５（ｂ）で図示したように，第２保持パネル１２の外側に形成した粘着層１２０を使用して，ＲＦＩＤタグ保持体１を被着体に貼り付けることで，ＲＦＩＤタグ１００を付設したタグパネル１０の向きを横長にした状態で，ＲＦＩＤタグ保持体１を被着体に貼り付けることができる。なお，第２保持パネル１２の外側に形成した粘着層１２０を使用して，ＲＦＩＤタグ保持体１を被着体に貼り付ける際，第１保持パネル１１の外側に形成した粘着層１１０を保護する剥離紙１１１は剥がされない。
【００２３】
なお，ＲＦＩＤタグ保持体１は上述した本実施形態に限定されることなく，様々な変更が可能である。ここから，本実施形態に係るＲＦＩＤタグ保持体１の変形例について説明する。
【００２４】
図６は，変形例１に係るＲＦＩＤタグ保持体３を説明する図である。図１で図示したＲＦＩＤタグ保持体１では，第２保持パネル１２の形状を長方形にしていたが，第２保持パネル１２の形状は長方形に限定されない。図６で図示した変形例１に係るＲＦＩＤタグ保持体３において，ＲＦＩＤタグ３００を付設したタグパネル３０，剥離紙３１１で保護された粘着層３１０が形成されている第１保持パネル３１，および，粘着層３３０により第１保持パネル３１と接着している糊付けパネル３３の形状それぞれは，図１で図示したＲＦＩＤタグ保持体１と同じであるが，剥離紙３２１で保護された粘着層３２０が形成されている第２保持パネル３２の形状を長方形からＬ字型に変更している。図６では，変形例１に係るＲＦＩＤタグ保持体３の第２保持パネル３２は，Ｌ字型の長辺となる折線３４ｂを介してタグパネル３０と連設し，タグパネル３０は，折線３４ａを介して第１保持パネル３１と連設している。更に，図６では，変形例１に係るＲＦＩＤタグ保持体３の第２保持パネル３２は，Ｌ字型の短辺となる折線３４ｃを介して糊付けパネル３３と連設し，糊付けパネル３３は，糊付けパネル３３に片側に形成されている粘着層３３０により第１保持パネル３１と接着している。
【００２５】
図７は，変形例２に係るＲＦＩＤタグ保持体４を説明する図である。図１で図示したＲＦＩＤタグ保持体１では，第２保持パネル１２をタグパネル１０の片側のみ設けていたが，図７で図示した変形例２に係るＲＦＩＤタグ保持体４では，剥離紙４２１で保護された粘着層４２０が形成されている第２保持パネル４２をタグパネル４０の両側に設けている。変形例２に係るＲＦＩＤタグ保持体４の第２保持パネル４２それぞれは，折線４４ｂを介して，ＲＦＩＤタグ４００を付設しているタグパネル４０と連設し，タグパネル４０は，折線４４ａを介して，剥離紙４１１で保護された粘着層４１０が形成されている第１保持パネル４１と連設している。更に，変形例２に係るＲＦＩＤタグ保持体４の第２保持パネル４２それぞれは，折線４４ｃを介して糊付けパネル４３と連設し，糊付けパネル４３は，糊付けパネル４３に片側に形成されている粘着層４３０により第１保持パネル４１と接着している。
【００２６】
なお，詳細は説明しないが，変形例１に係るＲＦＩＤタグ保持体３の基本的な構成はＲＦＩＤタグ保持体１と変わらないので，変形例１に係るＲＦＩＤタグ保持体３も一枚のシートから組み立てることができる。更に，一枚のシートから箱を組み立てることは可能であるので，変形例２に係るＲＦＩＤタグ保持体４も一枚のシートから組み立てることができる。
【符号の説明】
【００２７】
１    ＲＦＩＤタグ保持体
１０  タグパネル
１１  第１保持パネル
１２  第２保持パネル
１３  糊付けパネル
１１０，１２０，１３０  粘着層
１１１，１２１，１３１  剥離紙
１４ａ，１４ｂ，１４ｃ  折線
１４ｄ  カット線
２    ＲＦＩＤタグ保持体用シート
３    変形例1に係るＲＦＩＤタグ保持体
４    変形例２に係るＲＦＩＤタグ保持体
【図１】
2018128775.tif 000003
【図２】
2018128775.tif 000004
【図３】
2018128775.tif 000005
【図４】
2018128775.tif 000006
【図５】
2018128775.tif 000007
【図６】
2018128775.tif 000008
【図７】
2018128775.tif 000009